(57)【要約】【課題】  手鏡などとして兼用することができる鏡面状体を備えながら、雨水がかかっても、警告音が小さくなったり、わんが錆びてしまったりすることのない自転車用ベルおよび自転車を提供する。【解決手段】  自転車のハンドル２に取り付けられる基体部１０と、警告音を発生するわん４と、基体部１０に設けられてわん４を取り付ける軸部１１と、軸部１１におけるわん４と同じ側の先端部に、わん４の外側となる姿勢で取り付けられた鏡面状体７とを備えた。この構成により、鏡面状体７が基体部１０に対してわん４と同じ側に配設されるので、鏡面状体７が運転者側に向けて斜め上向きになるように自転車用ベル１を取り付けることで、鏡面状体７を手鏡として用いることができると同時に、わん４の凹部４ａが下向きとなって、わん４の凹部４ａに雨水などが溜まることが防止される。【選択図】    図３
2006117127.tif 000002
【特許請求の範囲】
【請求項１】
自転車のハンドル側に取り付けられる基体部と、
警告音を発生するわんと、
基体部から突出するように設けられて先端側にわんを取り付けた軸部と、
軸部におけるわんと同じ側の先端部に、わんの外側となる姿勢で取り付けられた鏡面状体と
を備えた自転車用ベル。
【請求項２】
鏡面状体が軸部の先端部中心に取り付けられている請求項１に記載の自転車用ベル。
【請求項３】
わんを鳴らすハンマー部を駆動させる操作レバーが設けられ、
鏡面状体に、わんの外周部における少なくとも操作レバーの近傍箇所を覆う覆い部が設けられた
請求項１または２に記載の自転車用ベル。
【請求項４】
自転車のハンドルに固定される取付部が設けられ、この取付部と、基体部との間に、互いの固定角度を調整可能に接続させる連結部が介装された
請求項１〜３の何れか１項に記載の自転車用ベル。
【請求項５】
鏡面状体の一部に日よけが設けられた
請求項１〜４の何れか１項に記載の自転車用ベル。
【請求項６】
請求項１〜５の何れか１項に記載の自転車用ベルを備えた自転車。
【請求項７】
自転車用ベルのわんが取り付けられる軸部の先端部に取付可能に構成された鏡面状体。
【請求項８】
わんが取り付けられる軸部の先端部に、鏡面状体を取り付ける取付部が形成された自転車用ベル。
【発明の詳細な説明】
【技術分野】
【０００１】
本発明は自転車用ベルおよびこの自転車用ベルを備えた自転車に関する。
【背景技術】
【０００２】
自転車のハンドルに取り付けられる自転車用ベルに、バックミラーや手鏡として使用可能な鏡面状体を組付けたものが、特許文献１などにおいて開示されている。図１０（ａ），（ｂ）、図１１に示すように、この種の自転車用ベル５０は、取付部５１を介して自転車のハンドル５２に固定される台座状の基体部５３から一方に軸部５４を突出させ、この軸部５４の先端部に、警告音を発生する金属製のわん５５を取り付けるとともに、基体部５３におけるわん５５とは反対側の面、すなわち、基体部５３の裏面側に、バックミラーや手鏡として使用可能な鏡面状体５６を取り付けた構成とされている。ここで、図１０（ａ），（ｂ）、図１１における、５７は親指などで操作される操作レバーである。
【０００３】
このような鏡面状体５６が設けられている自転車用ベルは、単に警告音を発生する機能があるだけでなく、鏡面状体５６を利用して運転者が後方確認を行うことができ、また、自分を見ることができるような鏡面状体５６を用いて、適切な取付姿勢に配置することで、手鏡代わりに使用することも可能である（ただし、鏡面状体５６として、バックミラーや手鏡として用いる場合に適したものを採用する必要がある）。なお、鏡面状体５６をバックミラーとして用いる場合には、図１２（ａ）に示すように、鏡面状体５６が斜め後ろ向きとなるように傾斜させて使用することとなり、また、鏡面状体５６を手鏡として用いる場合には、図１２（ｂ）に示すように、鏡面状体５６が斜め上向きとなるように傾斜させて使用することとなる。
【特許文献１】実開平７−３５２７７号公報（図２など）
【発明の開示】
【発明が解決しようとする課題】
【０００４】
しかしながら、上述したように、従来の鏡面状体５６を有する自転車用のベルによれば、基体部５３に対してわん５５とは反対側の面に鏡面状体５６が取り付けられているので、自転車用ベル５０をハンドル５２に取り付けた状態では、わん５５の凹部（わん５５の内側部分）５５ａが斜め上向きの配置となり、雨水などが自転車用ベル５０にかかった際に、わん５５の外周縁近傍の隙間からわん５５の凹部５５ａに雨水が侵入して溜まってしまう不具合がある。このように、わん５５の凹部５５ａに雨水などが溜まると、わん５５の警告音が小さくなったり、わん５５が錆びてしまったりする課題を生じる。
【０００５】
本発明は上記課題を解決するもので、手鏡などとして兼用することができる鏡面状体を備えながら、雨水がかかっても、警告音が小さくなったり、わんが錆びてしまったりすることのない自転車用ベルおよび自転車を提供することを目的とするものである。
【課題を解決するための手段】
【０００６】
上記課題を解決するために本発明の自転車用ベルは、自転車のハンドルに取り付けられる基体部と、警告音を発生するわんと、基体部に設けられてわんを取り付ける軸部と、軸部におけるわんと同じ側の先端部に、わんの外側となる姿勢で取り付けられた鏡面状体とを備えたことを特徴とする。ここで、鏡面状体の取付位置としては、軸部の先端部中心に取り付けると好適である。
【０００７】
この構成によれば、鏡面状体が基体部に対してわんと同じ側に配設されるので、鏡面状体が運転者側に向けて斜め上向きになるように自転車用ベルを取り付けることで、鏡面状体を手鏡やバックミラーとして用いることができると同時に、わんの凹部が下向きとなって、わんの凹部に雨水などが溜まることが防止される。
【０００８】
また、鏡面状体を軸部の先端部中心に取り付けることで、わんが振動しても、この振動が鏡面状体やその取付箇所に伝わることが最小限に抑えられる。したがって、わんを鳴らした場合でも、鏡面状体が振動し難くなり、鏡面状体を手鏡やバックミラーとして良好に使用することができる。
【０００９】
また、本発明の自転車用ベルは、わんを鳴らすハンマー部を駆動させる操作レバーが設けられ、鏡面状体に、わんの外周部における少なくとも操作レバーの近傍箇所を覆う覆い部が設けられたことを特徴とする。
【００１０】
この構成により、操作レバーを操作した指が、わんに接触することを、覆い部により防止することができ、これにより、指がわんに接触して警告音が小さくなることを防止することができる。
【００１１】
また、本発明の自転車用ベルは、自転車のハンドルに固定される取付部と、基体部との間に、互いの固定角度を調整可能に接続させる連結部が介装されたことを特徴とする。
この構成により、鏡面状体を見やすい角度に調整することができる。
【００１２】
また、本発明の自転車用ベルは、鏡面状体の一部に日よけが設けられたことを特徴とする。
この構成により、鏡面状体の鏡面部分を介して太陽光が直接目に入ることを防止できる。
【発明の効果】
【００１３】
以上のように本発明によれば、軸部におけるわんと同じ側の先端部に、わんの外側となる姿勢で鏡面状体を取り付けたことにより、鏡面状体を手鏡やバックミラーとして用いることができながら、わんの凹部が下向きとなって、わんの凹部に雨水などが溜まることが防止される。これにより、従来のように、わんの凹部に雨水などが溜まって、わんの警告音が小さくなったり、わんが錆びてしまったりすることを防止でき、この結果、鏡面状体を手鏡などとして利用できながら、自転車用ベルとしての機能の低下を確実に防止できて、信頼性が向上する。
【００１４】
また、鏡面状体を軸部の先端部中心に取り付けることで、わんが振動しても、この振動が鏡面状体やその取付箇所に伝わることを最小限に抑えることができ、自転車用ベルを鳴らせた場合でも、鏡面状体が振動し難くなり、鏡面状体を手鏡やバックミラーとして良好に使用することができる。
【００１５】
また、覆い部により、わんの外周部における少なくとも操作レバーの近傍箇所を覆うように構成することで、操作レバーを操作した指がわんに接触することを防止できて、警告音が小さくなることを防止できる。
【００１６】
また、互いの固定角度を調整可能に接続される連結部を、自転車のハンドルに固定される取付部と、基体部との間に介装することで、鏡面状体を見やすい角度に調整することができ、利便性が向上する。
【００１７】
また、鏡面状体の一部に日よけを設けることで、鏡面状体により反射した太陽光が直接目に入ることを防止でき、日よけを鏡面状体に設けることで製造コストの増加も最小限に抑えることができる。
【発明を実施するための最良の形態】
【００１８】
以下、本発明の実施の形態を、図面を参照しながら説明する。
図１は本発明の実施の形態に係る自転車用ベルを自転車のハンドルに取り付けた状態を示す斜視図、図２は同自転車用ベルの平面図、図３は同自転車用ベルの縦断面図である。
【００１９】
図１に示すように、本発明の実施の形態に係る自転車用ベル１は、自転車のハンドル２に取り付けられる。
図１〜図３に示すように、自転車用ベル１は、自転車のハンドル２に取り付けられた合成樹脂製のベル本体３に、警告音を発生する金属製のわん４と、鏡面処理されたステンレス材（或いはめっき処理した合成樹脂板等でもよい）からなる鏡面材５が保持カバー６に嵌め込まれてなる鏡面状体７とが組付けられた構成とされている。そして、ベル本体３に対して、わん４と鏡面状体７とが同じ側、例えば、図１〜図３に示す状態においては、本体３の上方に、わん４の外側を鏡面状体７で覆うような配置姿勢で取り付けられている。
【００２０】
ベル本体３は、自転車のハンドル２に巻いた状態でボルト８を、その内部に装着されたナット９ａにねじ込んで締め付けることでハンドル２に取り付けられる略Ｃ字形状の取付部９と、自転車用ベル１の台座部分をなす基体部１０と、この基体部１０から上方に突出するように延びる軸部１１とが一体的に樹脂成形された構成とされ、さらに、基体部１０内において、操作用の操作レバー１２を回動自在に支持する第１突出軸１３や、後述する段付き歯車１５を回転自在に支持する第２突出軸１４も一体的に形成されている。また、基体部１０の外周部１０ａは、操作レバー１２の回動部分を除いて、上方に延設され、わん４の外周部下部を覆っている。
【００２１】
操作レバー１２は、前記第１突出軸１３に外嵌される筒状部１２ａが一体形成されているとともに、その先端側は軸部１１を避けるように湾曲して延ばされて先端部に歯部１２ｂが一体形成されており、この操作レバー１２の歯部１２ｂが、段付き歯車１５に形成された小歯車部１５ａに噛み合わされている。なお、図３における２０は操作レバー１２を所定の方向に付勢するばねである。
【００２２】
ベル本体３の軸部１１の突出高さ中間部分には、金属リング１６が遊嵌状態で挟持されたハンマー部１７が回転自在に外嵌され、このハンマー部１７の下部外周に形成された歯部１７ａに、段付き歯車１５に形成された大歯車部１５ｂが噛み合わされている。そして、操作レバー１２を操作して回動させることで、段付き歯車１５を介してハンマー部１７が回動され、回動時に遠心力により外周側に移動した金属リング１６が、わん４に窪んで形成された当接部４ａに当接して、わん４から警告音が発生するようになっている。
【００２３】
わん４の中心頂部には孔部４ｂが形成され、このわん４に、本体３の軸部１１に取り付けるための第１、第２取付用部材１８、１９が、わん４の孔部４ｂの周囲部分を上下から挟持させ、かつ互いに係合させた状態で組み付けられている。このように、わん４と第２取付用部材１８とが組み付けられた第１取付用部材１８がベル本体３の軸部１１の先端部に被せられて外嵌されるとともに、鏡面状体７の保持カバー６が、鏡面材５が組みつけられていない状態で第１取付用部材１８上に配設され、これらの保持カバー６と第１取付用部材１８とを通して、結合ねじ２１が軸部１１の先端部に形成された取付用孔部１１ａにねじ込まれることで、軸部１１に対して、わん４や保持カバー６が固定されている。そして、この状態で、保持カバー６の上面部６ｄ上に鏡面材５が嵌め込まれている。ここで、保持カバー６の上面部には、弾性変形可能な爪部６ａが複数箇所に一体形成され、図４に示すように、鏡面材５が嵌め込まれることで、この鏡面材５を保持カバー６の上面部に沿わせた姿勢で良好に保持できるように構成されている。そして、このようにして、鏡面材５と保持カバー６とからなる鏡面状体７が、軸部１１の先端部中心に取り付けられている。また、保持カバー６の外周部には、わん４の上部を覆う覆い部６ｂが一体形成されている。
【００２４】
この自転車用ベル１は、自転車のハンドル２に、例えば、図１に示すように、若干運転者側に向くように傾斜させた状態で取り付けられる。そして、運転者が、この自転車用ベル１の鏡面材５をのぞくことで、手鏡と同様に、自分自身などを見ることができる。
【００２５】
また、操作レバー１２を操作することで、わん４がなって警告音を発生することができるようになっている。
上記構成によれば、鏡面状体７が基体部１０に対してわん４と同じ側（図１〜図４に示す場合には上方側）に配設されるので、鏡面状体７を手鏡として用いることができると同時に、わん４の内壁面である凹部４ｃが下向きとなって、わん４の凹部４ｃに雨水などが溜まることが防止される。これにより、従来のように、わん４の凹部４ｃに雨水などが溜まって、わん４の警告音が小さくなったり、わん４が錆びてしまったりすることが防止される。このように、鏡面状体７を手鏡などとして利用できながら、自転車用ベル１としての機能の低下を確実に防止でき、良好な信頼性を維持することができる。また、鏡面状体７によりわん４の上面側を覆うような配置としているので、わん４に雨水がかかり難くなり、わん４が錆びることを予防できる効果もある。なお、鏡面状体７の鏡面材５としては、平面鏡を用いてもよいが、この代わりに、凹面鏡や凸面鏡を用いてもよい。
【００２６】
また、鏡面状体７を軸部１１の先端部中心に取り付けることで、わん４が鳴らされて振動した場合でも、この振動が鏡面状体７に伝わることが最小限に抑えられ、鏡面状体７を手鏡として良好に使用することができる。なお、さらに、鏡面状体７に伝達する振動を鏡面材５に伝達させないように、鏡面状体７の保持カバー６として振動を吸収しやすい材料を採用してもよい。また、鏡面状体７の保持カバー６として鮮やかな色の材料を用いて、自転車用ベル１としてのファッション性を向上させてもよい。
【００２７】
なお、図５に示すように、保持カバー６の覆い部６ｂの一部を操作レバー１２の近傍箇所まで下方に延ばして、わん４の外周部における操作レバー１２の近傍箇所を覆うように構成してもよい。
【００２８】
この構成によれば、操作レバー１２を操作した指が、わん４に接触することを、覆い部６ｂにより防止することができ、これにより、指がわん４に接触して警告音が小さくなることを防止することができる。すなわち、操作レバー１２を操作した際に、指などがわん４に接触すると、前記指などによりわん４の振動が吸収されて、警告音が小さくなったり、警告音がでなかったりすることがあるが、このような不具合が生じなくなり、自転車用ベル１としての機能を良好に発揮できる。
【００２９】
また、図６に示すように、鏡面状体７として、保持カバー６の一部に蓋部２３を開閉自在に設けて、閉じた状態では蓋部２３により鏡面材５を覆うように構成してもよく、これによれば、鏡面材５の表面が汚れることを防止できる。
【００３０】
さらに、図７に示すように、自転車用ベル１における取付部９をベル本体３とは別体とし、この取付部９とベル本体３の基体部１０との間に、球状凸部２２ａと球状凹部２２ｂとを有して互いの位置を変更可能な連結部としてのユニバーサルジョイント部２２を設けてもよく、これによれば、鏡面状体７が見やすい角度になるように、自転車用ベル１のハンドル２に対する取付姿勢を、ユニバーサルジョイント部２２を介して調整することができ、利便性が向上する。なお、ユニバーサルジョイント２２を取付部９とベル本体３との間ではなくて、軸部１１におけるわん４の取付部と、鏡面状体７との間に介装して、鏡面状体７の姿勢だけを変更可能に構成してもよい。なお、姿勢の調整ができる構造であればよく、ユニバーサルジョイント２２以外の連結構造でもよい。
【００３１】
また、図８に示すように、保持カバー６の覆い部６ｂの上縁部を上方に少し延長して、日よけ部６ｃを形成してもよく、これによれば、若干鏡面材５をのぞき難くなるが、鏡面状体７の鏡面材５を介して太陽光が直接目に入ることを防止できる。
【００３２】
また、上記の実施の形態では、鏡面状体７の鏡面材５を手鏡に似た機能を発揮するものとして用いる場合を述べたが、これに代えて、バックミラー用の鏡面材５を採用してもよい。但し、この場合には、必要に応じて、例えば、鏡面状体７と軸部１１におけるわん４の取付部との間に、鏡面状体７を延長して支持する支持部材などを設けるなどして、後方を見易い位置に鏡面状体７を配置させたり、前記ユニバーサルジョイント２２を設けて、鏡面状体７の姿勢を調整可能としたりすることが望ましい。
【００３３】
また、上記の場合には、自転車用ベル１に最初から鏡面状体７が設けられている場合を述べたが、これに限るものではなく、図９に示すように、鏡面状体７を後付けできるように、軸部１１の先端部に取付用孔部１１ａを予め形成したものを組付け、例えば、この取付用孔部１１ａを目隠しするキャップ体２４を装着しておき、必要に応じて、鏡面状体７（鏡面材５および保持カバー６）を購入して取り付けることができるように構成してもよい。
【産業上の利用可能性】
【００３４】
本発明の自転車用ベルは、通常のベルの機能に、手鏡やバックミラーの機能を付与したものとして利用できるが、手鏡やバックミラー以外にも鏡として利用することが可能である。
【図面の簡単な説明】
【００３５】
【図１】本発明の実施の形態に係る自転車用ベルを自転車のハンドルに取り付けた状態を示す斜視図である。
【図２】同自転車用ベルの平面図である。
【図３】同自転車用ベルの縦断面図である。
【図４】同自転車用ベルの保持カバーに鏡面材を取り付ける様子を示す斜視図である。
【図５】本発明の他の実施の形態に係る自転車用ベルの縦断面図である。
【図６】本発明のその他の実施の形態に係る自転車用ベルの要部縦断面図である。
【図７】本発明のさらに他の実施の形態に係る自転車用ベルの要部背面図である。
【図８】本発明のさらに他の実施の形態に係る自転車用ベルの縦断面図である。
【図９】本発明のさらに他の実施の形態に係る自転車用ベルの縦断面図である。
【図１０】（ａ）および（ｂ）は従来の自転車用ベルを自転車のハンドルに取り付けた状態を示す正面図および背面図である。
【図１１】同従来の自転車用ベルの断面図である。
【図１２】（ａ）と（ｂ）とは、同従来の自転車用ベルを、バックミラーとして利用する場合と手鏡として利用する場合とを示す側面図である。
【符号の説明】
【００３６】
１        自転車用ベル
２        ハンドル
３        ベル本体
４        わん
５        鏡面材
６        保持カバー
６ｂ      覆い部
６ｃ      日よけ部
７        鏡面状体
９        取付部
１０      基体部
１１      軸部
１１ａ    取付用孔部
１２      操作レバー
１５      段付き歯車
１６      金属リング
１７      ハンマー部
１８      第１取付用部材
１９      第２取付用部材
２３      蓋部
２２      ユニバーサルジョイント部（連結部）
２４      キャップ体
【図１】
2006117127.tif 000003
【図２】
2006117127.tif 000004
【図３】
2006117127.tif 000005
【図４】
2006117127.tif 000006
【図５】
2006117127.tif 000007
【図６】
2006117127.tif 000008
【図７】
2006117127.tif 000009
【図８】
2006117127.tif 000010
【図９】
2006117127.tif 000011
【図１０】
2006117127.tif 000012
【図１１】
2006117127.tif 000013
【図１２】
2006117127.tif 000014